(57)【要約】      （修正有）【課題】排出されるシートの整合性を向上することができるシート処理装置及び画像読取装置を提供する。【解決手段】載置台１００にシート束９０を立てて載置し、シート束９０からシートを１枚ずつ取り出して搬送し、所定の処理を行った後、第１排紙部１０２又は第２排紙部１０３に排出する。載置台１００では第１の，第２の駆動軸に取り付けられた第１の，第２の回転体の回転によりシート束９０を上下方向に振動させながらシート束９０の先端を載置台突き当て部１２２に突き当てて、シート束９０を整合する。第１排紙部１０２では第１の，第２の回転体に同軸に連結された第３の，第４の回転体の回転によりシートを上下方向に振動させながらシートの後端を第１後端側突き当て部１２３に突き当てて、シート束を整合する。【選択図】図１
2012171751.tif 000002
【特許請求の範囲】
【請求項１】
複数のシートからなるシート束が前記シートの主面が鉛直方向と略平行となるようにセットされる給送部と、
前記給送部から取り込まれたシートが排出される排出部と、
前記排出部に排出されたシートの先端又は後端を突き当てる突き当て部と、
前記排出部に排出されたシート束を振動させて前記突き当て部に突き当たるように前記シート束を動かす整合手段とを備えることを特徴とするシート処理装置。
【請求項２】
複数のシートからなるシート束が前記シートの主面が鉛直方向と略平行となるようにセットされる給送部と、
前記給送部にセットされたシート束の先端を突き当てる第１の突き当て部と、
前記給送部にセットされたシート束を鉛直方向に振動させながら前記シート束が前記第１の突き当て部に突き当たるように前記シート束を動かす第１の整合手段と、
前記給送部にセットされたシート束から１枚ずつシートを取り出されたシートが排出される排出部と、
前記排出部に排出されたシート束の先端又は後端を突き当てる第２の突き当て部と、
前記第１の整合手段と連結され、前記排出部に排出されたシート束を鉛直方向に振動させながら前記シート束が前記第２の突き当て部に突き当たるように前記シート束を動かす第２の整合手段と、
前記第１の整合手段又は前記第２の整合手段を駆動することにより前記第１の整合手段と前記第２の整合手段とを同時に駆動する共通の駆動手段と、を備えることを特徴とする画像読取装置。
【請求項３】
前記第１の整合手段は、前記給送部にセットされたシート束と接触して回転により前記シート束を振動させる第１の回転体及び第２の回転体を有し、
前記第２の整合手段は、前記第１の回転体及び前記第２の回転体にそれぞれ同軸となるように連結され、前記排出部に排出されたシートと接触して回転により前記シートを振動させる第３の回転体及び第４の回転体を有し、
前記駆動手段は、同じ方向に回転する第１の駆動軸及び第２の駆動軸を有し、
前記第１の駆動軸及び前記第２の駆動軸に、前記第１の回転体及び前記第２の回転体が、又は、前記第３の回転体及び前記第４の回転体が、取り付けられていることを特徴とする請求項１記載の画像読取装置。
【請求項４】
前記第１の整合手段は、前記給送部にセットされたシート束と接触して回転により前記シート束を振動させる第１の回転体及び第２の回転体を有し、
前記第２の整合手段は、前記排出部に排出されたシートと接触して回転により前記シートを振動させる第３の回転体及び第４の回転体を有し、
前記駆動手段は、同じ方向に回転する第１の駆動軸及び第２の駆動軸を有し、
前記第１の回転体と前記第３の回転体とを同軸となるように連結する第１の回転方向変換手段と、前記第２の回転体と前記第４の回転体とを同軸となるように連結する第２の回転方向変換手段と、を更に備え、
前記第１の駆動軸及び前記第２の駆動軸に、前記第１の回転体及び前記第２の回転体が、又は、前記第３の回転体及び前記第４の回転体が、が取り付けられ、
前記第１の回転方向変換手段及び前記第２の回転方向変換手段はそれぞれ、前記第１の回転体及び前記第２の回転体の回転方向と前記第３の回転体及び前記第４の回転体の回転方向とを逆にすることを特徴とする請求項１記載の画像読取装置。
【請求項５】
前記第１の整合手段は、前記給送部にセットされたシート束と接触して回転により前記シート束を振動させる第１の回転体及び第２の回転体を有し、
前記第２の整合手段は、前記排出部に排出されたシートと接触して回転により前記シートを振動させる第３の回転体及び第４の回転体を有し、
前記駆動手段は、同じ方向に回転する第１の駆動軸及び第２の駆動軸を有し、
前記第１の回転体と前記第３の回転体とを同軸となるように連結する第１の切換手段と、前記第２の回転体と前記第４の回転体とを同軸となるように連結する第２の切換手段と、を更に有し、
前記第１の駆動軸及び前記第２の駆動軸に、前記第１の回転体及び前記第２の回転体が、又は、前記第３の回転体及び前記第４の回転体が、取り付けられ、
前記第１の切換手段は前記第１の回転体と前記第３の回転体との間での回転動力の伝達と遮断を行い、前記第２の切換手段は前記第２の回転体と前記第４の回転体との間での回転動力の伝達と遮断を行うことを特徴とする請求項１記載の画像読取装置。
【発明の詳細な説明】
【技術分野】
【０００１】
本発明は、シート処理装置及び画像読取装置に関し、具体的には、給送部にセットされた複数枚の原稿を１枚ずつ搬送路に給送して画像を読み取り、画像を読み取った原稿を順次排出する画像読取装置に関する。
【背景技術】
【０００２】
複写機やファクシミリ等に搭載される画像読取装置は、シートを画像読取部に給送するために、ＡＤＦ（automatic document feeder）等のシート給送装置を備えている。ＡＤＦ等のシート給送装置では、複数枚のシートからなるシート束を給紙部（給送部）にセットする際に、シート束の端部を揃える整合作業を行う必要があるが、全てのシートが端部を揃えた状態でセットされないことがある。
【０００３】
その場合、シートを１枚ずつ分離して搬送する際にジャムが発生したり、給紙順が入れ替わる等の問題が生じることがある。また、搬送するシートとして、例えば、ＭＩＣＲ等の磁気インク文字が印刷されたシートの場合、給送前のシート端部の揃え状態が悪いと、その後の画像読取部と磁気インク文字との相対位置関係を良好に保つことができず、正確に磁気インク文字を読み取ることができないという問題が生じる。
【０００４】
このような問題を解決するために、給紙部にセットされたシート束を振動させながらシート束の端部を揃える整合装置を有するシート給送装置が提案されている（特許文献１参照）。この特許文献１に記載されたシート給送装置は、給紙を行うためにシート束がシートの重なり方向が略水平方向となる状態で載置される載置台を備えている。シート束の整合時には、シート給送方向に互いに離間するように載置台の下側に配置された断面矩形状の２つの回転体がシート給送方向に回転することにより、回転体の角隅部でシート束を繰り返し突き上げてシート束を振動させる。これにより、シート束の底面（各シートの下端の辺）を揃えることができる。
【先行技術文献】
【特許文献】
【０００５】
【特許文献１】特許第４２６５７６３号公報
【発明の概要】
【発明が解決しようとする課題】
【０００６】
上述したＡＤＦ等のシート給送装置を備えた画像読取装置では、読み取り後のシートが１枚ずつ排紙部（排出部）に排紙されて積載される。このとき、各シートは排紙部に勢いよく排出されるため、読み取り等を終了したシートの束の端部が一律に揃わない場合が殆どである。そのため、読み取り後のシート束を別の場所に収納等する場合には、シート束の整合作業を行う必要がある。このシート束の整合作業は、大量のシートを処理しなければならない場合には、非常に面倒である。
【０００７】
なお、近年、シートの高速処理の要望に伴ってシートの搬送速度も高速化しており、上述した排出シートの整合性の問題は顕著化する。また、上述した各問題は、画像読取装置に限って発生するものではなく、複数枚のシートを順次搬送して所定箇所に排出してシート束として集める構成のシート搬送装置においても同様に発生するおそれがある。
【０００８】
本発明は、排出されるシートの整合性を向上することができるシート処理装置及び画像読取装置を提供することにある。
【課題を解決するための手段】
【０００９】
本発明に係るシート処理装置は、複数のシートからなるシート束が前記シートの主面が鉛直方向と略平行となるようにセットされる給送部と、前記給送部から取り込まれたシートが排出される排出部と、前記排出部に排出されたシートの先端又は後端を突き当てる突き当て部と、前記排出部に排出されたシート束を振動させて前記突き当て部に突き当たるように前記シート束を動かす整合手段とを備えることを特徴とする。
【００１０】
また、本発明に係る画像読取装置は、複数のシートからなるシート束が前記シートの主面が鉛直方向と略平行となるようにセットされる給送部と、前記給送部にセットされたシート束の先端を突き当てる第１の突き当て部と、前記給送部にセットされたシート束を鉛直方向に振動させながら前記シート束が前記第１の突き当て部に突き当たるように前記シート束を動かす第１の整合手段と、前記給送部にセットされたシート束から１枚ずつシートを取り出されたシートが排出される排出部と、前記排出部に排出されたシート束の先端又は後端を突き当てる第２の突き当て部と、前記第１の整合手段と連結され、前記排出部に排出されたシート束を鉛直方向に振動させながら前記シート束が前記第２の突き当て部に突き当たるように前記シート束を動かす第２の整合手段と、前記第１の整合手段又は前記第２の整合手段を駆動することにより前記第１の整合手段と前記第２の整合手段とを同時に駆動する共通の駆動手段と、を備えることを特徴とする。
【発明の効果】
【００１１】
本発明によれば、排出されるシートの整合性を向上させることができる。また、給送部と排出部のシート整合手段を共通の駆動手段で駆動する場合には、装置コストのコストアップを抑えながら、給送部でのシート束の整合と排出部でのシート束の整合とを同時又は任意に行うことができる。
【図面の簡単な説明】
【００１２】
【図１】本発明の実施形態に係る画像読取装置をその上側から見たときの概略構造を示す断面図である。
【図２】図１に示す画像読取装置が備える、第１実施形態に係るシート整合装置の構造を示す断面図である。
【図３】図１に示す画像読取装置が備える、第２実施形態に係るシート整合装置の構造を示す断面図である。
【図４】図１に示す画像読取装置が備える、第３実施形態に係るシート整合装置の構造を示す断面図である。
【発明を実施するための形態】
【００１３】
以下、本発明の実施の形態について添付図面を参照して詳細に説明する。本実施形態では、磁気情報としてのＭＩＣＲ情報（磁気インク文字情報）を有するシート（原稿）の磁気情報または画像情報の読み取りを行う、いわゆるチェックスキャナである画像読取装置を取り上げて説明することとする。
【００１４】
＜画像読取装置の概略構造＞
図１は、本発明の実施形態に係る画像読取装置をその上側から見たときの概略構造を示す断面図である。画像読取装置３００では、複数枚のシート（読取原稿）からなるシート束９０は、シートの主面が鉛直方向と略平行となるように（シートの重なり方向が略水平方向となるように）、給紙を行う給送部の少なくとも一部を構成する載置台１００に載置（セット）される。したがって、図１にはシート束９０の厚み方向側面が描画されている。
【００１５】
載置台１００に載置されたシート束９０は、給紙ローラ１０４に対して押圧されるように、押圧板１０１によって付勢されている。給紙ローラ１０４に当接するシートは、給紙ローラ１０４の駆動により給送ローラ１０５側へ送給される。シートが重送された場合には、重送された複数枚のシートは、分離ローラ１０７によって１枚ずつに分離されて搬送路１１０へ給送される。すなわち、本実施形態では、上述した載置台１００、給紙ローラ１０４、分離ローラ１０７、及び押圧板１０１によって給送部が構成される。
【００１６】
搬送路１１０には、上流側から下流側に向けて、載置台１００から給送されたシートを検知するレジストセンサ１１２と、シートのＭＩＣＲ情報を読み取る情報読取部１０６と、シートの画像を読み取る画像読取部１０８とがこの順序で配置されている。情報読取部１０６で読み取られたＭＩＣＲ情報及び画像読取部１０８で読み取られた画像情報は、通信ケーブル（不図示）等を通してホストコンピュータ（不図示）等に送信される。すなわち、本実施形態の画像読取装置３００とホストコンピュータとで画像読取システムが構成される。
【００１７】
画像読取装置３００では、排紙先の指示情報に従って、排紙部として２箇所に設けられた第１排紙部１０２又は第２排紙部１０３へシートが排紙されるように、切替フラッパ（不図示）や対応する搬送ローラが駆動される。なお、排紙先の指示情報は、画像読取装置３００が備える操作手段（不図示）から受信する。つまり、本実施形態の画像読取装置３００は、１つの給送部に対して複数の排出部として第１排紙部１０２及び第２排紙部１０３が設けられ、給送部から取り込まれるシートは、排出先としての第１排紙部１０２又は第２排紙部１０３に振り分け可能に設けられている。
【００１８】
載置台１００には、シート束９０をシート搬送方向で整合するために、第１の突き当て部として、シート先端（搬送路１１０側）を当接により受け止める載置台突き当て部１２２が設けられている。また、第１排紙部１０２には、排紙されたシートをシート搬送方向で整合するための第２の突き当て部として、シートの後端を突き当てる第１後端側突き当て部１２３及びシートの先端を突き当てる第１先端側突き当て部１２５が設けられている。同様に、第２排紙部１０３には、第３の突き当て部として、シートの後端を突き当てる第２後端側突き当て部１２４及びシートの先端を突き当てる第２先端側突き当て部１２６が、それぞれ設けられている。すなわち、上記第１排紙部１０２及び第２排紙部１０３は、それぞれが所定枚数のシートを確実に収容可能な収容スペースを有し、且つシートの整合性を高めるべくシートの排出方向においてシートの移動を規制するための突き当て部が設けられている。
【００１９】
シート束９０からシートを分離して搬送路１１０へ送給し、第１排紙部１０２又は第２排紙部１０３へ排紙するまでの、画像読取装置３００を構成する各種の駆動部品等（構成要素）の動作制御は、制御部（不図示）により行われる。制御部は、ＣＰＵと、プログラム等を格納したＲＯＭと、記憶媒体としてのＲＡＭ等を備え、ＣＰＵが、ＲＯＭに格納されたプログラムをＲＡＭの作業領域に展開し、実行することにより、画像読取装置３００全体の動作が制御される。
【００２０】
＜第１実施形態に係るシート整合装置＞
［シート整合装置の構造］
図２は、画像読取装置３００が備える、第１実施形態に係るシート整合装置の構造を示す断面図である。このシート整合装置は、載置台１００、第１排紙部１０２及び第２排紙部１０３の下側に配置されている。
【００２１】
シート整合装置は、載置台１００の下側に配置された第１回転体１１５（第１の回転体）と第２回転体１１６（第２の回転体）とを備えている。また、シート整合装置は、第１排紙部１０２と第２排紙部１０３の下側に配置された第３回転体１１７（第３の回転体）と第４回転体１１８（第４の回転体）とを有している。以下に詳細に説明する通り、第１回転体１１５及び第２回転体１１６は、回転することにより載置台１００におけるシート束９０の整合を行う第１の整合手段として機能する。また、第３回転体１１７及び第４回転体１１８は、回転することにより第１排紙部１０２及び第２排紙部１０３におけるシート束の整合を行う第２の整合手段として機能する。
【００２２】
また、シート整合装置は、第１駆動軸１１３（第１の駆動軸）と、第２駆動軸１１４（第２の駆動軸）とを備えている。第１回転体１１５は第１駆動軸１１３に取り付けられ、第２回転体１１６は第２駆動軸１１４に取り付けられている。モータ（不図示）の駆動力がベルト１１９を介して第１駆動軸１１３及び第２駆動軸１１４へ伝えられ、第１駆動軸１１３及び第２駆動軸１１４が同じ方向に回転する。第１駆動軸１１３及び第２駆動軸１１４は共通の駆動手段（モータ及びベルト１１９）によって駆動される。
【００２３】
第３回転体１１７は第１回転体１１５に対して同軸に連結されており、第４回転体１１８は第２回転体１１６に対して同軸に連結されている。本実施形態では、連結の一態様として、第１駆動軸１１３が第１回転体１１５と第３回転体１１７とを貫通するようにして、第１駆動軸１１３に第１回転体１１５と第３回転体１１７とが固定された構造を採っている。同様に、第２駆動軸１１４が第２回転体１１６と第４回転体１１８とを貫通するようにして、第２駆動軸１１４に第２回転体１１６と第４回転体１１８とが固定された構造としている。よって、本実施形態では、第１回転体１１５〜第４回転体１１８は、同じ方向に同じ回転速度で回転する。なお、これら第１回転体１１５〜第４回転体１１８は、シートの整合性を高めるべく、それぞれ非同期的に回転制御できるようにしてもよいし、給送部と排出部とで同期又は非同期に回転制御できるようにしてもよい。
【００２４】
第１回転体１１５〜第４回転体１１８は、長手方向と直交する断面が楕円や多角形（例えば、四角形）等の形状を有している。第１回転体１１５及び第２回転体１１６は、回転時に、その外周面が載置台１００の底面から一定の長さだけ突出した状態と載置台１００の底面下に隠れる状態とが実現されるように、形状及び配設位置が調整されている。第３回転体１１７及び第４回転体１１８についても同様である。
【００２５】
したがって、第１駆動軸１１３及び第２駆動軸１１４を回転させて第１回転体１１５〜第４回転体１１８を回転させることにより、第１回転体１１５〜第４回転体１１８上に載置又は排紙されているシートは上方に突き上げられて上下に振動する。これによりシート束を整合する効果が得られる。このシート整合の原理は、従来技術として説明した特許文献１に記載されたシート整合の原理と同様である。
【００２６】
すなわち、第１回転体１１５及び第２回転体１１６は載置台１００に載置されたシート束９０に当接し、第１回転体１１５はシート束９０をその先端側（搬送路１１０側）で整合し、第２回転体１１６はシート束９０をその後端側で整合する。第３回転体１１７は、第１排紙部１０２及び第２排紙部１０３に排出されたシート束をその後端側（搬送路１１０側）で整合し、第４回転体１１８は、第１排紙部１０２及び第２排紙部１０３に排出されたシート束をその先端側で整合する。
【００２７】
なお、第１回転体１１５〜第４回転体１１８の回転位置はエンコーダ１２０によって検出され、センサ１２１がエンコーダ１２０の検出を行う。また、第１回転体１１５〜第４回転体１１８の回転方向を決める第１駆動軸１１３及び第２駆動軸１１４の回転方向は、例えば、モータ（不図示）の回転方向を切り換えることにより、任意に切り換えることができるようになっている。この切り換えは、ユーザが操作手段（不図示）を通して行うことができる。
【００２８】
［シート整合装置によるシート整合動作］
ユーザは、載置台１００にシート束９０を載置し、画像読取装置３００が備える操作手段（不図示）の整合開始スイッチを押下する。これにより、ベルト１１９を介してモータ（不図示）によって第１駆動軸１１３及び第２駆動軸１１４が回転駆動され、第１回転体１１５〜第４回転体１１８が回転を開始する。
【００２９】
本実施形態では、第１回転体１１５及び第２回転体１１６を、搬送路１１０方向に回転させる。つまり、第１回転体１１５及び第２回転体１１６とシートとの接触部において、シートを搬送路１１０へ送り出すような力が加わる方向に、第１回転体１１５及び第２回転体１１６を回転させる。なお、第３回転体１１７及び第４回転体１１８は、第１回転体１１５及び第２回転体１１６と同じ方向に回転する。
【００３０】
第１回転体１１５及び第２回転体１１６の断面形状は、前述の通りに楕円形等であるので、第１回転体１１５及び第２回転体１１６が回転すると、シート束９０を上方へ突き上げる（持ち上げる）ようにしてシート束９０を振動させる。これにより、シート束９０を上下方向（鉛直方向）で整合させることができる。これと同時に、シート束９０をその先端側（搬送路１１０側）へ動かす力が、第１回転体１１５及び第２回転体１１６からシート束９０に作用する。これより、シート束９０の先端側は載置台１００に設けられた載置台突き当て部１２２に当接し、シート束９０のシート搬送方向での整合が行われる。
【００３１】
載置台１００でのシート束９０の整合動作が終了すると、シート束９０の底面が載置台１００の底面と接触した状態（各シートの下端辺が載置台１００の底面に接触した状態）となるように、第１回転体１１５〜第４回転体１１８が停止する。第１回転体１１５〜第４回転体１１８の停止動作は、エンコーダ１２０及びセンサ１２１の検出結果に基づいて行われる。第１排紙部１０２及び第２排紙部１０３にシートが排紙されている場合、載置台１００に載置されたシート束９０の底面が載置台１００の底面と接触した状態になると、第１排紙部１０２及び第２排紙部１０３でもシートの下端辺が底面と接触した状態となる。
【００３２】
載置台１００上で整合されたシート束９０のシートは、１枚ずつ、給送ローラ１０５によって搬送路１１０へ順次給送され、画像の読み取り等が行われた後、第１排紙部１０２又は第２排紙部１０３に排出される。シート束９０の全てのシートが排出された後に、本実施形態では、ユーザが次に読み取るシート束を載置台１００に載置し、再び操作手段（不図示）の整合開始スイッチを押すものとして、以下に説明を続ける。
【００３３】
第１回転体１１５〜第４回転体１１８が再び回転を始めると、第１回転体１１５及び第２回転体１１６は、先のシート束９０の場合と同様に、載置台１００に載置されたシート束を、上下方向及びシート搬送方向において整合する。
【００３４】
前述の通り、第１回転体１１５及び第２回転体１１６が搬送路１１０方向に回転すると、第３回転体１１７及び第４回転体１１８もまた搬送路１１０方向に回転する。よって、載置台１００でのシート束９０の整合と同様に、第３回転体１１７及び第４回転体１１８の回転により、第１排紙部１０２及び第２排紙部１０３に排紙されたシート束の上下方向で整合が行われる。これと同時に、第１排紙部１０２及び第２排紙部１０３にそれぞれ排紙されたシート束は、その後端が第１後端側突き当て部１２３及び第２後端側突き当て部１２４に当接し、シート搬送方向において整合される。
【００３５】
次に、載置台１００に載置された次のシート束の全てのシートが搬送路１１０へ給送され、第１排紙部１０２又は第２排紙部１０３に排紙された後に、新たに読み取りを行うシート束がないとする。この場合、第１排紙部１０２又は第２排紙部１０３に排紙されたシート束を整合するために、ユーザは操作手段（不図示）の整合開始スイッチを押下する。
【００３６】
このとき、第１回転体１１５〜第４回転体１１８を、搬送路１１０方向に回転させてもよいし、搬送路１１０方向とは反対の方向に回転させてもよい。なお、前述の通り、第１回転体１１５〜第４回転体１１８の回転方向（第１駆動軸１１３及び第２駆動軸１１４の回転方向）は、ユーザが操作手段（不図示）にて設定することができる。
【００３７】
第１回転体１１５〜第４回転体１１８を搬送路１１０方向に回転させた場合の、第１排紙部１０２及び第２排紙部１０３にそれぞれ排紙されたシート束の整合については、既に説明しているので、ここでの説明を省略する。
【００３８】
第１排紙部１０２及び第２排紙部１０３にそれぞれ排紙されたシート束を上下方向で整合するメカニズムは、第３回転体１１７及び第４回転体１１８の回転方向に関係なく、同じである。第１回転体１１５〜第４回転体１１８を搬送路１１０方向とは反対の方向に回転させると、第１排紙部１０２及び第２排紙部１０３では、シート束は、その先端が第１先端側突き当て部１２５及び第２先端側突き当て部１２６に当接するように動く。これにより、シート束をシート搬送方向において整合することができる。
【００３９】
このように、本実施形態によれば、簡単な構成のシート整合装置を用いて、載置台１００に載置されたシートと第１排紙部１０２及び第２排紙部１０３に排紙されたシート束を同時に上下方向及びシート搬送方向において整合することができる。
【００４０】
＜第２実施形態に係るシート整合装置＞
図３は、画像読取装置３００が備える、第２実施形態に係るシート整合装置の構造を示す断面図である。このシート整合装置では、第１回転体１１５と第３回転体１１７との連結に第１ギア３０１が用いられ、第２回転体１１６と第４回転体１１８との連結に第２ギア３０２が用いられている。なお、その他の構成は第１実施形態に係るシート整合装置と同じである。
【００４１】
第１ギア３０１は、回転方向を変換する第１の回転方向変換手段として機能し、第１回転体１１５の回転方向と第３回転体１１７との回転方向とを逆にする。同様に、第２ギア３０２は、回転方向を変換する第２の回転方向変換手段として機能し、第２回転体１１６の回転方向と第４回転体１１８との回転方向とを逆にする。したがって、第１回転体１１５及び第２回転体１１６を搬送路１１０方向に回転させると、第３回転体１１７及び第４回転体１１８は、搬送路１１０方向とは反対の方向に回転する。
【００４２】
これにより、載置台１００ではシート束９０を載置台突き当て部１２２に当接させて整合すると同時に、第１排紙部１０２及び第２排紙部１０３ではシートを第１先端側突き当て部１２５及び第２先端側突き当て部１２６に当接させて整合することができる。つまり、載置台１００、第１排紙部１０２及び第２排紙部１０３の全てにおいて、シートをその先端側で整合させることができる。
【００４３】
＜第３実施形態に係るシート整合装置＞
図４は、画像読取装置３００が備える、第３実施形態に係るシート整合装置の構造を示す断面図である。このシート整合装置では、第１回転体１１５と第３回転体１１７との連結に第１クラッチ４０１を用い、第２回転体１１６と第４回転体１１８との連結に第２クラッチ４０２を用いている。また、第３回転体１１７に第１駆動軸１１３を、第４回転体１１８に第２駆動軸１１４を接続し、第１駆動軸１１３及び第２駆動軸１１４をモータ（不図示）等からベルト１１９を介して駆動する構成へ変更されている。その他の構成は第１実施形態に係るシート整合装置と同じである。
【００４４】
第１クラッチ４０１は、回転動力の伝達と遮断とを切り換える第１の切換手段として機能し、第１駆動軸１１３の回転にしたがって回転する第３回転体１１７の回転動力の第１回転体１１５への伝達と遮断とを切り換える。同様に、第２クラッチ４０２は、回転動力の伝達と遮断とを切り換える第２の切換手段として機能し、第２駆動軸１１４の回転にしたがって回転する第４回転体１１８の回転動力の第２回転体１１６への伝達と遮断とを切り換える。
【００４５】
したがって、載置台１００、第１排紙部１０２及び第２排紙部１０３の全てにおいて同時にシート整合動作を行うだけでなく、第１排紙部１０２と第２排紙部１０３だけでシート整合動作を行うという使い方が可能になる。例えば、シート束のスキャン前とスキャン後では、第１回転体１１５〜第４回転体１１８の全てを回転させてシート整合動作を行う。そして、シートのスキャン中には、第３回転体１１７及び第４回転体１１８のみを回転させることにより、シートのスキャンを行いながら第１排紙部１０２及び第２排紙部１０３に排紙されるシート束を整合させるという使用方法を実行することが可能になる。
【００４６】
＜その他の実施形態＞
以上、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００４７】
例えば、第１実施形態に係るシート整合装置の動作説明では、画像読取装置３００が備える操作手段（不図示）によりシート整合動作を開始させた。しかし、これに限られず、画像読取装置３００と接続されたコンピュータ等からの動作開始コマンドによって、シート整合動作を開始させ、シートの読み取りを行うようにしてもよい。
【００４８】
また、第３実施形態に係るシート整合装置では、第１クラッチ４０１及び第２クラッチ４０２により載置台１００でのシート整合動作の実行をオン／オフすることができるようにした。これに対し、第２実施形態に係るシート整合装置が備える第１ギア３０１及び第２ギア３０２をそれぞれ第１クラッチ４０１及び第２クラッチ４０２に変更した構成とすることができる。
【００４９】
このような構成では、第１クラッチ４０１は、第１回転体１１５から第３回転体１１７への回転動力の伝達と遮断とを切り換え、第２クラッチ４０２は第２回転体１１６から第４回転体１１８への回転動力の伝達と遮断とを切り換える。この場合、載置台１００、第１排紙部１０２及び第２排紙部１０３の全てにおいて同時にシート整合動作を行うだけでなく、載置台１００でのみシート整合動作を行うという使い方が可能になる。
【００５０】
本発明は以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【００５１】
また、本発明では、１つの給送部に対して１つの排出部を設けてもよいし、複数の給送部から１つ又は複数の排出部を設けてもよい。さらに、各排出部には、排出されたシートを積載方向（シートの厚さ方向）に押圧又は支持するための板状部材を設けてシート整合性を高めてもよい。なお、このような板状部材は、排出部内でのシートの移動を案内する役割や、シートを摺接させて排出部内でのシートの暴れ等の不整合を抑制する役割を持たせることも可能である。このように排出部に板状部材を設ける場合、排出部でのシート整合動作においては、板状部材によるシート押圧動作を一時的に解除（シートを実質的に押圧せず支持する）等してシートの機動性を確保し、シートの整合作業の効率を高めるようにしてもよい。
【符号の説明】
【００５２】
９０      シート束
１００    載置台
１０２    第１排紙部
１０３    第２排紙部
１１０    搬送路
１１３    第１駆動軸
１１４    第２駆動軸
１１５    第１回転体
１１６    第２回転体
１１７    第３回転体
１１８    第４回転体
１２２    載置台突き当て部
１２３    第１後端側突き当て部
１２４    第２後端側突き当て部
１２５    第１先端側突き当て部
１２６    第２先端側突き当て部
３００    画像読取装置
【図１】
2012171751.tif 000003
【図２】
2012171751.tif 000004
【図３】
2012171751.tif 000005
【図４】
2012171751.tif 000006